(57)【要約】【課題】本発明は、コストを節約できるバックライトモジュール及び該バックライトモジュールを使用する液晶表示装置を提供することを目的とする。【解決手段】本発明に係るバックライトモジュールは、発光ユニットと、光学板と、光学レイヤーと、フレームと、を備え、フレームは、中央枠及びバックカバーを備え、光学レイヤーは、中央枠に固定され、且つ中央枠と共に前部モジュールを構成し、発光ユニット及び光学板は、バックカバーに固定され、且つバックカバーと共に後部モジュールを構成し、中央枠がバックカバーに固定されることにより、前部モジュールは、後部モジュールに固定され、前部モジュールは、汎用型モジュールであって、後部モジュールは、専用型モジュールである。【選択図】図２
2017027009.tif 000002
【特許請求の範囲】
【請求項１】
発光ユニットと、
光学板と、
光学レイヤーと、
フレームと、
を備えてなるバックライトモジュールであって、
前記フレームは、中央枠及びバックカバーを備え、前記光学レイヤーは、前記中央枠に固定され、且つ前記中央枠と共に前部モジュールを構成し、前記発光ユニット及び前記光学板は、前記バックカバーに固定され、且つ前記バックカバーと共に後部モジュールを構成し、
前記中央枠が前記バックカバーに固定されることにより、前記前部モジュールは、前記後部モジュールに固定され、前記前部モジュールは、汎用型モジュールであって、前記後部モジュールは、専用型モジュールであることを特徴とするバックライトモジュール。
【請求項２】
前記後部モジュールは、直下型後部モジュールであって、前記前部モジュールと共に直下型バックライトモジュールを構成することを特徴とする請求項１に記載のバックライトモジュール。
【請求項３】
前記バックカバーは、底板と、該底板の四つの周辺からそれぞれ上方へ延伸する四つの側壁と、を備え、前記底板と前記側壁との間には、前記発光ユニットを収容する収容空間が設けられていることを特徴とする請求項１又は２に記載のバックライトモジュール。
【請求項４】
前記発光ユニットは、複数の発光ダイオードを備え、前記発光ユニットは、前記底板に固定されることを特徴とする請求項３に記載のバックライトモジュール。
【請求項５】
反射部を更に備え、前記反射部の形状は、前記バックカバーの前記収容空間と同じ形状を呈し、且つ反射底面及び四つの反射側面を備え、前記反射部は前記収容区間内に収容され、且つ前記底板に固定されることを特徴とする請求項４に記載のバックライトモジュール。
【請求項６】
前記発光ユニットは、前記底板と前記反射部との間に位置し、前記反射部の前記反射底面には、前記発光ダイオードを露出させる複数の通孔が設けられていることを特徴とする請求項５に記載のバックライトモジュール。
【請求項７】
前記中央枠は、ネジがネジ穴に螺合する方法又はラッチがスロットと係合する方法で、前記バックカバーに固定されることを特徴とする請求項１から６の何れか一項に記載のバックライトモジュール。
【請求項８】
前記後部モジュールは、エッジ型後部モジュールであって、前記前部モジュールと共にエッジ型バックライトモジュールを構成することを特徴とする請求項１に記載のバックライトモジュール。
【請求項９】
請求項１〜８の何れか一項に記載の前記バックライトモジュールと、表示パネルと、を備え、前記バックライトモジュールは、前記表示パネルに平面光源を提供し、前記表示パネルは、前記中央枠に設置され、且つ前記バックカバーと反対する側に位置することを特徴とする液晶表示装置。
【請求項１０】
フロント枠を更に備え、前記中央枠は、前記フロント枠と前記バックカバーとの間に位置し、前記表示パネルは、前記フロント枠と前記中央枠との間に位置し、前記フロント枠は、前記中央枠或いは前記バックカバーの側壁に固定されることを特徴とする請求項９に記載の液晶表示装置。
【発明の詳細な説明】
【技術分野】
【０００１】
本発明は、バックライトモジュール及び液晶表示装置に関するものである。
【背景技術】
【０００２】
液晶ディスプレイ（ＬＣＤ）は、非発光表示装置であるため、バックライトソースを介して表示する。バックライトソースの性能の品質は、ＬＣＤの表示品質に直接影響する。また、バックライトソースのコストは、ＬＣＤの全体のコストの３０％〜５０％を占めている。つまり、ＬＣＤにとって、バックライトソースは重要な部品であることは言うまでもない。
【０００３】
従来の技術において、バックライトモジュールは、光源、導光板、光学レイヤー、フレームなどにより構成される。しかし、異なるタイプのバックライトモジュール、例えば、直下型バックライトモジュール及びエッジ型バックライトモジュールの構造は、それぞれ異なるため、生産する時、異なるタイプのバックライトモジュールは、異なる金型及び原料を使用する。従って、バックライトモジュールのタイプに応じて対応する金型及び原料を準備しなければならないため、コストが高い。
【発明の概要】
【発明が解決しようとする課題】
【０００４】
本発明の目的は、前記課題を解決し、コストを節約できるバックライトモジュール及び該バックライトモジュールを使用する液晶表示装置を提供することである。
【課題を解決するための手段】
【０００５】
上記目的を達成するために、本発明に係るバックライトモジュールは、発光ユニットと、光学板と、光学レイヤーと、フレームと、を備え、フレームは、中央枠及びバックカバーを備え、光学レイヤーは中央枠に固定され、且つ中央枠と共に前部モジュールを構成し、発光ユニット及び光学板は、バックカバーに固定され、且つバックカバーと共に後部モジュールを構成し、中央枠がバックカバーに固定されることにより、前部モジュールは、後部モジュールに固定され、前部モジュールは、汎用型モジュールであって、後部モジュールは、専用型モジュールである。
【発明の効果】
【０００６】
本発明に係るバックライトモジュールは、汎用型前部モジュール及び異なるタイプのバックライトモジュールに対応する後部モジュールにより構成される。これにより、異なるタイプのバックライトモジュールを生産する際、前部モジュールは、同じ金型及び原料によって生産できるので、生産費用及び開発費用を節約できる。
【図面の簡単な説明】
【０００７】
【図１】図１は本発明の実施形態に係る液晶表示装置の組立斜視図である。
【図２】図２は図１に示す液晶表示装置の分解斜視図である。
【図３】図３は図２に示す液晶表示装置の別の視角から見た分解斜視図である。
【発明を実施するための形態】
【０００８】
図１〜図３に示したように、本発明の実施形態に係るバックライトモジュール１０は、フレーム１１と、発光ユニット１２と、反射部１３と、光学板１４と、光学レイヤー１５と、を備える。フレーム１１は、中央枠１１１及びバックカバー１１２を備える。バックライトモジュール１０は、前部モジュール２０及び後部モジュール３０を備える。光学レイヤー１５は、中央枠１１１に固定され、中央枠１１１と共に前部モジュール２０を構成する。バックカバー１１２、バックカバー１１２に固定される発光ユニット１２、反射部１３及び光学板１４は、後部モジュール３０を構成する。
【０００９】
前部モジュール２０は、汎用型モジュールであって、各種類のバックライトモジュールに応用することができる。即ち、前部モジュール２０を異なるタイプのバックライトモジュール、例えば、直下型バックライトモジュール及びエッジ型バックライトモジュールのどちらに応用しても、前部モジュール２０の構造は変えなくてよい。
【００１０】
後部モジュール３０は、専用型モジュールであり、且つバックライトモジュール１０の種類に対応して、直下型後部モジュールとエッジ型後部モジュールに分けることができる。即ち、後部モジュール３０を異なるタイプのバックライトモジュールに応用する時、後部モジュール３０の構造は、対応するバックライトモジュール１０のタイプに応じて変えることができる。例えば、直下型バックライトモジュールの後部モジュール３０における発光ユニット１２と反射部１３との連接方法と、直下型バックライトモジュールの後部モジュール３０における発光ユニット１２と反射部１３との連接方法とは、全く異なるため、具体的な状況に応じて、後部モジュール３０の構造を調整する。
【００１１】
前部モジュール２０は、中央枠１１１がバックカバー１１２に固定されることにより後部モジュール３０に組み合わされる。組み合わせる方法は、ネジをネジ穴に螺合させる方法、ラッチとスロットとを係合させる方法（図示せず）などがある。
【００１２】
本実施形態において、バックライトモジュール１０は、直下型バックライトモジュールであって、汎用型前部モジュール及び直下型後部モジュールを備える。他の実施形態において、バックライトモジュール１０は、エッジ型バックライトモジュールであってもよい。この時、エッジ型バックライトモジュールは、汎用型前部モジュール及びエッジ型後部モジュールにより構成される。
【００１３】
図２及び図３に示したように、本実施形態において、バックカバー１１２は、底板１１２１及び四つの側壁１１２２を備える。底板１１２１は、矩形を呈し、側壁１１２２は、底板１１２１の四つの周辺から上方へそれぞれ延伸している。底板１１２１と側壁１１２２との間には、発光ユニット１２及び反射部１３を収容する収容空間１１２３が設けられる。底板１１２１は、中央枠１１１から離れて位置し、収容空間１１２３の開口は、中央枠１１１に面する。バックカバー１１２の底板１１２１の外側面（収容空間１１２３と反対する側に位置する面）は、他の装置（図示せず）、例えば、液晶ディスプレイのバックカバーなどに固定することが可能である。これにより、後部モジュール３０は、当該装置に固定することができる。
【００１４】
本実施形態において、発光ユニット１２及び反射部１３は、バックカバー１１２の底板１１２１に固定され、且つ収容空間１１２３内に収容される。この際、発光ユニット１２は、底板１１２１と反射部１３との間に位置する。他の実施形態において、発光ユニット１２は、反射部１３の上面に設置してもよい。つまり、反射部１３は、底板１１２１と発光ユニット１２との間に位置してもよい。発光ユニット１２は、複数の発光ダイオードバー１２１を備え、各発光ダイオードバー１２１には、複数の発光ダイオード１２２及び複数の貫通孔１２３がそれぞれ設けられている。固定部品を貫通孔１２３に貫通させて、バックカバー１１２の底板１１２１に螺合させることにより、発光ダイオードバー１２１を底板１１２１に固定する。この際、各発光ダイオードバー１２１は、底板１１２１の長手方向にそれぞれ平行する。
【００１５】
反射部１３の形状は、バックカバー１１２の収容空間１１２３の形状とほぼ同じである。また、反射部１３は、反射底面１３１及び四つの反射側面１３２を備える。反射部１３のサイズは収容空間１１２３のサイズより小さいので、反射部１３は、収容空間１１２３内に収容することができる。反射底面１３１には、複数の固定孔１３３及び複数の通孔１３４が設けられている。反射部１３の固定孔１３３は、発光ダイオードバー１２１の貫通孔１２３にそれぞれ対応する。従って、各固定部品は、１つの貫通孔１２３及び対応する固定孔１３３を同時に貫通でき、反射部１３及び発光ダイオードバー１２１を同時に固定することができる。反射部１３の通孔１３４は、発光ダイオードバー１２１の発光ダイオード１２２にそれぞれ対応し、対応する発光ダイオード１２２の発光面を露出させる。他の実施形態において、例えば、エッジ型バックライトモジュールの場合、反射部１３は省略できる。
【００１６】
光学板１４は、平たい板であって、そのサイズは、収容空間１１２３の開口のサイズより大きい。光学板１４は、バックカバー１１２の側壁１１２２に固定される。本実施形態において、光学板１４は、拡散板である。他の実施形態において、例えば、エッジ型バックライトモジュールの場合、光学板１４は、導光板であってもよい。
【００１７】
後部モジュール３０を組み立てる際、発光ユニット１２、反射部１３の順に、バックカバー１１２の底板１１２１上にこれら発光ユニット１２及び反射部１３を設置する。この際、発光ダイオード１２２は、反射部１３の通孔１３４から露出する。次いで、ネジ（図示せず）を、反射部１３の固定孔１３３及び発光ダイオードバー１２１の対応する貫通孔１２３にそれぞれ貫通させて、バックカバー１１２の底板１１２１に螺合させて、発光ユニット１２及び反射部１３をバックカバー１１２に固定する。この時、発光ユニット１２及び反射部１３は、収容空間１１２３内に収容される。最後に、光学板１４を、バックカバー１１２の側壁１１２２に固定する。
【００１８】
中央枠１１１は、中空の矩形フレームである。光学レイヤー１５は、矩形を呈し、そのサイズは、中央枠１１１の内側のサイズより大きい。光学レイヤー１５は、中央枠１１１上に固定され、且つバックカバー１１２に面する側に位置し、光学板１４から出射された光線を平均化して、且つ大きい角度の光線を収集して平面光にする。本実施形態において、前部モジュール２０は、３つの光学レイヤー１５を備える。３つの光学レイヤー１５は、同じか又は異なる材料を利用してもよい。利用する材料としては、輝度上昇フィルム、反射偏光フィルムなどがある。
【００１９】
バックライトモジュール１０を組み立てる際、中央枠１１１をバックカバー１１２の側壁１１２２上に固定すれば、前部モジュール２０を後部モジュール３０に組み合わせることができる。
【００２０】
従来の技術と比べて、本発明に係るバックライトモジュール１０は、汎用型の前部モジュール及び異なるバックライトモジュールに対応する専用型後部モジュールに分けられるので、一つの前部モジュール２０は、異なるタイプの後部モジュール３０と組み合わせて、異なるタイプのバックライトモジュール１０を構成することができる。例えば、前部モジュール２０を直下型後部モジュールと組み合わせると、直下型バックライトモジュールを構成できる。前部モジュール２０をエッジ型後部モジュールと組み合わせると、エッジ型バックライトモジュールを構成できる。従って、バックライトモジュール１０を生産する時、前部モジュール２０は、同じ金型及び原料を利用できる。これにより、中央枠１１１及び光学レイヤー１５を生産する際に使用する金型の費用を節約できるだけでなく、中央枠１１１及び光学レイヤー１５それぞれの原料を、エッジ型バックライトモジュールにも、直下型バックライトモジュールにも使用することができるので、原料の汎用性を向上させる一方で、製品の開発に対するコストダウンも実現できる。
【００２１】
また、バックライトモジュール１０は、液晶表示装置１００に応用される際、中央枠１１１の一側（バックカバー１１２と反対する側）に、表示パネル４０を装着することができる。バックライトモジュール１０は、表示パネル４０に平面光源を提供する。フレーム１１は、フロント枠１１３を更に備えることが望ましく、この際、フロント枠１１３は、中央枠１１１のバックカバー１１２と反対する側に設置する。具体的には、中央枠１１１は、フロント枠１１３とバックカバー１１２との間に位置する。表示パネル４０は、フロント枠と中央枠１１１との間に位置する。フロント枠１１３は、中央枠１１１とバックカバーの側壁１１２２に固定される。他の実施形態において、フロント枠１１３は、中央枠１１１及びバックカバーの側壁１１２２の内、何れか片方に固定してもよい。
【符号の説明】
【００２２】
１０  バックライトモジュール
１１  フレーム
１００  液晶表示装置
１１１  中央枠
１１２  バックカバー
１１２１  底板
１１２２  側壁
１１２３  収容空間
１１３  フロント枠
１２  発光ユニット
１２１  発光ダイオードバー
１２２  発光ダイオード
１２３  貫通孔
１３  反射部
１３１  反射底面
１３２  反射側面
１３３  固定孔
１３４  通孔
１４  光学板
１５  光学レイヤー
２０  前部モジュール
３０  後部モジュール
４０  表示パネル
【図１】
2017027009.tif 000003
【図２】
2017027009.tif 000004
【図３】
2017027009.tif 000005